(57)【要約】【課題】校正時における使用者の作業性を向上させる測定装置を提供する。【解決手段】測定液中の特定の物理量を測定して表示部４に表示するとともに、校正時にはこの表示部４に校正に関する情報を表示して使用者に校正実施の操作を可能とした測定装置において、  表示部４は、校正時に、校正液の測定値の取り込みを指示する測定値取り込みキー４ｆと、校正液の測定値のトレンドグラフ４ｇとを同時に表示することを特徴とする測定装置。【選択図】図３
2010190630.tif 000002
【特許請求の範囲】
【請求項１】
測定液中の特定の物理量を測定して表示部に表示するとともに、校正時にはこの表示部に校正に関する情報を表示して使用者に校正実施の操作を可能とした測定装置において、
前記表示部は、校正時に、校正液の測定値の取り込みを指示する測定値取り込みキーと、前記校正液の測定値のトレンドグラフとを同時に表示することを特徴とする測定装置。
【請求項２】
前記測定値取り込みキーは、測定時および校正時を通して前記表示部に常に表示される操作キーが用いられることを特徴とする請求項１に記載の測定装置。
【請求項３】
前記表示部は、さらに、前記校正液の測定値の数値を同時に表示することを特徴とする請求項１または２に記載の測定装置。
【請求項４】
前記トレンドグラフは、測定値軸または時間軸の少なくとも一方の表示スケールが、前記校正の種類ごとに設定されていることを特徴とする請求項１〜３のいずれか記載の測定装置。
【請求項５】
前記トレンドグラフは、測定値軸または時間軸の少なくとも一方の表示範囲が、前記校正の種類ごとに設定されていることを特徴とする請求項１〜４のいずれかに記載の測定装置。
【請求項６】
前記トレンドグラフは、測定値軸の中心値が、前記校正の種類に応じて設定されていることを特徴とする請求項１〜５のいずれかに記載の測定装置。
【請求項７】
前記表示部がタッチパネルで構成されたことを特徴とする請求項１〜６のいずれかに記載の測定装置。
【発明の詳細な説明】
【技術分野】
【０００１】
本発明は測定装置に関し、詳しくは、測定液中の特定の物理量を測定して表示部に表示するとともに、校正時にはこの表示部に校正に関する情報を表示して使用者に校正実施の操作を可能とした測定装置に関する。
【背景技術】
【０００２】
図８は、従来の溶存酸素計の表示部１００の表示画面の例を示した図である。画面左上部分には、測定液Ｌの溶存酸素量の測定値（主測定信号表示１００ａ）が大きな文字で表示され、その下には測定液Ｌの温度（補助信号表示１００ｂ）が表示されている。また、表示部１００はタッチパネルで構成されており、状況に応じてメニュー項目やコマンド項目、操作キーなどが表示され、使用者のタッチ入力によって使用者に種々の操作を可能としている。図８の例では、表示画面１１０の右側に縦一列に、ホームキー１００ｃ、バックキー１００ｄ、矢印キー１００ｅ、エンターキー１００ｆの４つの操作キーが表示されている。
【０００３】
溶存酸素計は測定精度を維持するために、定期的に校正を行う必要がある。溶存酸素計の校正では、通常、溶存酸素の量が既知（０％または１００％）の校正液を測定し、このときに得られる測定値を溶存酸素計の内部に取り込み、正しい値（すなわち校正値）と比較することにより行う。
【０００４】
図９は校正時の表示画面を示す図であり、（ａ）、（ｂ）は校正画面、（ｃ）はトレンドグラフ画面である。
校正液の測定が開始されると、表示部１００には図９の（ａ）、（ｂ）のような校正画面が表示される。校正画面には「Show trend graph」、「Adjust now」、「Quit without adjusting」の３つのコマンドが表示されており、使用者が矢印キー１００ｅをタッチすることによりいずれかのコマンドが選択される。図９の（ａ）では、測定値の取り込みを指示する「Adjust now」のコマンド１００ｇが選択された状態となっている。この状態で使用者がエンターキー１００ｆをタッチすると、選択されたコマンドが実行され、溶存酸素計は校正液の測定値の取り込みを開始する。
【０００５】
ところで、溶存酸素量の測定は、電気化学的な反応を利用しているため、測定値が安定するまでに時間がかかる。そのため、使用者には、校正液の測定値の取り込みを実行する際に測定値が安定しているか否かを確認したいという要望がある。
【０００６】
「Show trend graph」のコマンド１００ｈは、表示部１００を測定値のトレンドグラフ画面に切り替えるコマンドである。図９の（ｂ）に示すように、使用者は、測定値が安定しているか否かを確認したい場合にこのコマンド１００ｈを選択し、エンターキー１００ｆをタッチする。すると、表示部１００の全体が図９の（ｃ）に示すようなトレンドグラフ画面に切り替えられ、測定値の測定開始時からのトレンドグラフ１００ｉが表示される。使用者はこのトレンドグラフ１００ｉを参照して測定値が安定しているのか否かを確認する。
【０００７】
トレンドグラフ画面には、表示部１００を図９の（ｂ）の校正画面に切り替える操作キー１００ｊが用意されている。使用者は、トレンドグラフ１００ｉの確認が終わると、操作キー１００ｊをタッチして元の校正画面に戻る。使用者は、測定値が安定していると判断した場合には測定値の取り込みを実行する。測定値が安定していないと判断した場合には、しばらく待った後に再度トレンドグラフ画面に切り替え、測定値が安定しているか否かを確認する。
【０００８】
このように、校正画面にはトレンドグラフ画面に切り替える操作キーを、トレンドグラフ画面には校正画面に戻る操作キーを設け、校正画面とトレンドグラフ画面を相互に行き来できるようにすることで、使用者が測定値を取り込むタイミングを適切に判断できるようにしている。
【０００９】
下記特許文献１には、校正時に、グラフィック操作パネルに校正画面とトレンドグラフ画面とを切り換え表示させる配水モニタの計測器校正操作方法が記載されている。
【先行技術文献】
【特許文献】
【００１０】
【特許文献１】特開平０８−１９３９９０号公報
【発明の概要】
【発明が解決しようとする課題】
【００１１】
しかしながら、上記のような従来の溶存酸素計では、校正画面とトレンドグラフ画面とを交互に表示させる必要があり、画面の切り替え操作が煩雑である。
また、測定値の取り込みを行う際にトレンドグラフ画面を同時に参照できないため、使用者は、トレンドグラフを最後に確認してから測定値の取り込みを行うまでに測定値が変化してしまうのではないかという不安にかられ、念のため再度トレンドグラフを表示させるといったような、作業の戻りを発生させてしまう。
【００１２】
本発明は、従来の問題をなくし、校正時における使用者の作業性を向上させる測定装置を提供することを目的とする。
【課題を解決するための手段】
【００１３】
このような課題を達成するために、請求項１に記載の発明は、
測定液中の特定の物理量を測定して表示部に表示するとともに、校正時にはこの表示部に校正に関する情報を表示して使用者に校正実施の操作を可能とした測定装置において、
表示部は、校正時に、校正液の測定値の取り込みを指示する測定値取り込みキーと、校正液の測定値のトレンドグラフとを同時に表示することを特徴とする。
【００１４】
請求項２に記載の発明は、
請求項１に記載の測定装置において、
測定値取り込みキーは、測定時および校正時を通して表示部に常に表示される操作キーが用いられることを特徴とする。
【００１５】
請求項３に記載の発明は、
請求項１または２に記載の測定装置において、
表示部は、さらに、校正液の測定値の数値を同時に表示することを特徴とする。
【００１６】
請求項４に記載の発明は、
請求項１〜３のいずれか記載の測定装置において、
トレンドグラフは、測定値軸または時間軸の少なくとも一方の表示スケールが、校正の種類ごとに設定されていることを特徴とする。
【００１７】
請求項５に記載の発明は、
請求項１〜４のいずれかに記載の測定装置において、
トレンドグラフは、測定値軸または時間軸の少なくとも一方の表示範囲が、校正の種類ごとに設定されていることを特徴とする。
【００１８】
請求項６に記載の発明は、
請求項１〜５のいずれかに記載の測定装置において、
トレンドグラフは、測定値軸の中心値が、校正の種類に応じて設定されていることを特徴とする。
【００１９】
請求項７に記載の発明は、
請求項１〜６のいずれかに記載の測定装置において、
表示部がタッチパネルで構成されたことを特徴とする。
【発明の効果】
【００２０】
請求項１の発明によれば、
表示部が、校正時に、校正液の測定値の取り込みを指示する測定値取り込みキーと、校正液の測定値のトレンドグラフとを同時に表示することにより、使用者は測定値の取り込みを実行する瞬間にもトレンドグラフを参照することができ、校正時における使用者の作業性を向上させることができる。
【００２１】
請求項２の発明によれば、
測定時および校正時を通して表示部に常に表示される操作キーを測定値取り込みキーとして流用するため、トレンドグラフの周囲の表示を増やさずに済み、表示部の表示内容が見やすい。
【００２２】
請求項３の発明によれば、
表示部が、校正液の測定値の数値を同時に表示するため、測定値の経時変化の様子だけでなく、正確な現在値も同時に把握できる。
【００２３】
請求項４の発明によれば、
トレンドグラフが、測定値軸または時間軸の少なくとも一方の表示スケールが校正の種類ごとに設定されているため、使用者は、校正の種類によらず、常に最適な表示スケールで表されたトレンドグラフを参照できる。
【００２４】
請求項５の発明によれば、
トレンドグラフが、測定値軸または時間軸の少なくとも一方の表示範囲が校正の種類ごとに設定されているため、使用者は、校正の種類によらず、常に最適な表示範囲で表されたトレンドグラフを参照できる。
【００２５】
請求項６の発明によれば、
トレンドグラフが、測定値軸の中心値が校正の種類に応じて設定されているため、使用者は、校正の種類によらず、常に最適な中心値で表されたトレンドグラフを参照できる。
【００２６】
請求項７の発明によれば、
表示部がタッチパネルで構成されているため、使用者が直接的に操作を行う部分である測定値取り込みキーの近くにトレンドグラフを確認することができ、より使用者の作業性を向上させることができる。
表示部をタッチパネルとすることは、測定値取り込みキーの表示と測定値のトレンドグラフの表示が同時に行われる本発明の測定装置において、好適である。
【図面の簡単な説明】
【００２７】
【図１】本発明を溶存酸素計に適用した実施例を示すブロック図である。
【図２】溶存酸素計の外観を示す図である。
【図３】表示部４の校正時の表示例を示す図である。
【図４】校正設定画面の例を示す図である。
【図５】本発明の溶存酸素計の校正時の動作フローを示す図である。
【図６】手動校正時の表示部４の表示例を示す図である。
【図７】本発明をｐＨ計に適用した場合のトレンドグラフ画面の例である。
【図８】従来の測定装置の一例として、溶存酸素計の構成を示した図である。
【図９】表示部１１０の校正時の表示例を示す図である。
【発明を実施するための形態】
【００２８】
図１は、本発明を溶存酸素計に適用した実施例を示すブロック図である。
溶存酸素計は、測定液Ｌに浸されるセンサ部１、センサ部１からの測定信号が入力される本体２、使用者によって設定情報の入力など種々の操作を受ける操作入力部３、溶存酸素量の測定値や設定画面、校正画面など各種の画面が表示される表示部４から構成されている。
【実施例１】
【００２９】
本体２は、センサ部１からの測定信号を処理する測定回路２ａ、溶存酸素量の算出や校正時における測定値の取り込みなど各種制御を行う制御部２ｂ、校正に関する設定を保持する校正設定部２ｃから構成されている。また、本体２には、図示しない温度センサによって測定された測定液Ｌの温度が入力される。
【００３０】
測定回路２ａはセンサ部１からの測定信号を受信し、デジタル信号に変換して制御部２ｂに出力する。制御部２ｂは、入力された測定信号および測定液Ｌの温度に基づいて測定液Ｌの溶存酸素量を算出し、表示部４に表示させる。
【００３１】
図２は、本実施例の溶存酸素計の外観を示す図である。センサ部１以外のものがひとつのケース１０に収納され、表示部４がケース１０の前面に設置されている。さらに、操作入力部３は、タッチパネルとして表示部４と一体に形成されている。また、センサ部１は、ケーブル１１およびケース１０下部に設けられたケーブルグランド１２を介して、ケース１０内の本体２に接続されている。
【００３２】
表示部４は、溶存酸素量の測定値だけでなく、状況に応じてメニュー項目やコマンド項目、操作キーなどが表示され、使用者のタッチ入力によって使用者に種々の操作を可能とする。
図２の例では、表示部４の画面左上部分に測定液Ｌの溶存酸素量の測定値（主測定信号表示４ａ）が大きな文字で表示され、その下に測定液Ｌの温度（補助信号表示４ｂ）が表示されている。さらに、表示部４の画面右側部分には、縦一列に、ホームキー４ｃ、バックキー４ｄ、矢印キー４ｅ、エンターキー４ｆの４つの操作キーが表示されている。
【００３３】
ホームキー４ｃは、表示部４の表示内容を初期状態のトップページに切り替える機能を有する。バックキー４ｄは、表示部４の表示内容をひとつ前の内容に戻す機能を有する。矢印キー４ｅは移動ボタンとして機能し、表示部４に表示されたコマンドの選択状態をスクロールさせる際に利用される。エンターキー４ｆは主に決定ボタンとして機能し、選択状態にあるコマンドの実行や、入力内容の確認などに利用される。
【００３４】
操作キー４ｃ〜４ｆは、測定時、校正時にかかわらず、常に共通して表示部４に表示され、主にこれらの操作キー４ｃ〜４ｆが操作入力部３として機能する。
【００３５】
溶存酸素計は測定精度を維持するために、定期的に校正を行う必要がある。溶存酸素計の校正では、通常、溶存酸素量が既知（０％または１００％）の校正液を測定し、このときに得られる測定値を本体２に取り込み、校正値と比較することにより行う。なお、溶存酸素量が０％の校正液を用いるのをゼロ校正、溶存酸素量が１００％の校正液を用いるのをスパン校正と称する。ゼロ校正、スパン校正ともに校正値が一般に知られており、たとえばスパン校正の場合には液温２５℃において８．２６［ｍｇ／ｌ］である。本実施例では、スパン校正を例にあげて説明する。
【００３６】
図３は校正時の表示部４の表示例を示す図であり、（ａ）、（ｃ）は校正画面、（ｂ）はトレンドグラフ画面である。
【００３７】
まず、使用者は図３の（ａ）の校正画面を呼び出す。この校正画面には、溶存酸素量「０％」、「１００％」のコマンドが表示されており、どちらの校正を行うかを使用者に選択させる。使用者は、矢印キー４ｅをタッチして、図３の（ａ）に示すように「１００％」のコマンドを選択状態とする。その後、使用者がエンターキー４ｆをタッチすると、選択状態となっていた「１００％」のコマンドが決定され、スパン校正の校正作業が開始される。
【００３８】
校正作業が開始されると、制御部２ｂは、自動的に表示部４をトレンドグラフ画面に切り替える。図３の（ｂ）は、トレンドグラフ画面の例であり、校正作業の開始から３０分弱が経過した状態を示している。
【００３９】
トレンドグラフ画面には、４つの操作キー４ｃ〜４ｆと、校正液の測定値の経時変化を示すトレンドグラフ４ｇと、測定値の現在値表示（主信号表示）４ｈと、校正液の温度表示（補助信号表示）４ｉが表示されている。
【００４０】
４つの操作キー４ｃ〜４ｆは、図３の（ａ）の校正画面における表示位置と同じ位置に、同じ大きさで表示されている。
【００４１】
トレンドグラフ４ｇは、操作キー４ｃ〜４ｆに重ならない位置で、かつ、使用者が視認しやすいように表示部４のほぼ中央に大きく表示されている。
トレンドグラフ４ｇは、横軸を校正液の測定開始からの経過時間、縦軸を測定値として作成されている。横軸の表示範囲は３０分に固定されており、１０分間隔の目盛４ｍが付されている。縦軸は、校正値の８．２６［ｍｇ／ｌ］を中心値４ｋとして、表示スケール１．００［ｍｇ／ｌ］で、中心値から±１．０［ｍｇ／ｌ］の範囲で表示されている。また、縦軸には、中心値４ｋおよび９．２６［ｍｇ／ｌ］の位置に補助線４ｊが付されている。
【００４２】
トレンドグラフ４ｇの表示範囲、表示スケール、中心値はあらかじめ校正設定部２ｃに記憶させておく。制御部２ｂは、校正作業時にこれらの設定情報を校正設定部２ｃから自動的に読み出し、読み出した設定にしたがってトレンドグラフ４ｇを作成する。
【００４３】
トレンドグラフ４ｇの上部には、現在値表示４ｈおよび温度表示４ｉが並列に表示されている。これにより、測定値の変化の様子だけでなく、最新の測定値および温度も同一画面で同時に把握できるようになっている。
【００４４】
図３の（ｂ）のトレンドグラフ画面においては、エンターキー４ｆを、測定値を本体２に取り込む測定値取り込みキーとして機能させる。
【００４５】
使用者は、表示部４に表示されたトレンドグラフ４ｇを参照し、校正液の測定値が現時点で安定しているのか否かを確認する。そして使用者は、測定値が安定したと判断すると、エンターキー４ｆをタッチする。エンターキー４ｆがタッチされると、制御部２ｂは校正液の測定値の取り込みを開始するとともに、表示部４を図３の（ｃ）の画面に切り替える。
すなわち、本実施例の溶存酸素計では、従来例のように測定値の取り込みのためにトレンドグラフのない別画面に移行することなく、トレンドグラフ４ｇと同一の画面から直接測定値の取り込み指示が行われる。
【００４６】
制御部２ｂは、校正液の測定値を取り込みにあたって短時間の安定性確認を行う。図３の（ｃ）に示すように、表示部４には安定性確認の実行中であることを示す表示４ｎが表示される。安定性確認では、所定時間（数秒から数十秒程度）内の測定値の変化量が所定の基準値以内に納まっているかどうかを確認する。この安定性確認により、使用者がトレンドグラフを目視しただけでは把握できなかった、安定していない測定値の取り込みを防止する。
【００４７】
測定値の安定性確認が終了すると、制御部２ｂは校正液の測定値を取り込む。制御部２ｂは、取り込んだ測定値を校正値に合わせ込み、その後表示部４に校正が完了したことを示すメッセージを表示する。以上で校正作業が完了する。
【００４８】
なお、校正の内容や種類によっては、校正時にトレンドグラフ４ｇの表示を必要としない、あるいは使用者の好みによりトレンドグラフ４ｇの表示を望まない場合も考えられる。そこで、使用者の設定により、トレンドグラフ４ｇを表示しないという選択も可能としておく。
【００４９】
図４は校正設定画面の例を示す図である。校正設定画面は、図３のように実際に校正を実行するための画面とは別に用意される。校正設定画面は、使用者に校正に関する各種事項の設定や変更を可能とするものである。校正設定画面の中に「Trend graph」の項目を用意しておく。使用者は、この校正設定画面を表示部４に呼び出し、校正時にトレンドグラフ４ｇの表示を希望する場合には「Trend graph」の項目を「Enable」に、校正時にトレンドグラフ４ｇの表示を希望しない場合には「Disable」に設定する。設定された内容は、校正設定部２ｃに記憶される。
【００５０】
「Trend graph」が「Enable」に設定されている場合には、校正作業時に表示部４に図３の（ｂ）に示すトレンドグラフ画面が表示される。
一方、「Trend graph」が「Disable」に設定されている場合には、表示部４にトレンドグラフ４ｇは表示せず、図３（ａ）の画面を継続して表示する。校正作業開始後、再度エンターキー４ｆがタッチされた時点で制御部２ｂは測定値の取り込みを開始し、表示部４は図３の（ｃ）の画面に切り替えられる。
【００５１】
図５は、本発明の溶存酸素計の校正時の動作フローを示す図である。
使用者によって何らかの校正動作に移行するためのコマンドが選択されると、このフローはスタートする。
ステップＳ１では、制御部２ｂは、使用者がどの種類の校正を選択しているかを確認する。スパン校正が選択されている場合には、ステップＳ２に進む。
ステップＳ２では、制御部２ｂは、トレンドグラフの表示設定が「Enable」、「Disable」のどちらに設定されているかを確認し、「Enable」に設定されている場合にはステップＳ３に進む。ステップＳ３では、制御部２ｂは校正作業の開始とともに表示部４にトレンドグラフ画面を表示し、ステップＳ４に進む。一方、ステップＳ２において、トレンドグラフの表示設定が「Disable」に設定されている場合には、表示部４には校正作業開始時の画面を継続して表示するとともに、ステップＳ２から直接ステップＳ４に進む。
ステップＳ４では、制御部２ｂは、使用者によって測定値取り込みキーがタッチされたかどうかを確認する。測定値取り込みキーがタッチされると、ステップＳ５に進む。
ステップＳ５では、制御部２ｂは測定値が安定しているかどうかの安定性確認を行い、測定値が安定していると判断した場合にはステップＳ６に進む。一方、測定値が安定していないと判断した場合には、安定性の確認を繰り返す。
ステップＳ６では、制御部２ｂは測定値を制御部２ｂの内部に取り込み、次のステップＳ７において取り込んだ測定値を校正値に合わせ込む。
最後に、ステップＳ８において、制御部２ｂは校正完了のメッセージを表示部４に表示し、校正作業が完了する。
なお、ステップＳ１においてスパン校正以外の校正が選択されている場合には、ステップＳ２〜ステップＳ８と同様の動作がそれぞれの校正の種類に応じた設定情報を用いて行われる。
【００５２】
ところで、上述の校正は溶存酸素量が０％、１００％などの基準状態の校正であり、どのような校正値に合わせ込むかを制御部２ｂにあらかじめ記憶させておくことができる。
一方、基準状態にない校正液を用いて校正を行う場合もある。この場合には、合わせ込むべき校正値を使用者が設定する必要がある。以下に、このような手動校正について説明する。
【００５３】
図６は手動校正時の表示部４の表示例を示す図であり、（ａ）は校正画面、（ｂ）はトレンドグラフ画面、（ｃ）は校正値入力画面、（ｄ）は入力された校正値の確認画面である。
【００５４】
使用者は図６の（ａ）に示すような校正の種類を選択する校正画面を呼び出す。この校正画面に、手動校正を実行する「Manual Slope Cal.」のコマンドを用意しておく。使用者がこのコマンドを選択、決定することにより、手動校正作業が開始される。
【００５５】
手動校正作業の開始とともに、制御部２ｂは、自動的に表示部４を図６の（ｂ）に示すトレンドグラフ画面に切り替える。
トレンドグラフ画面には、図３の（ｂ）のトレンドグラフ画面と同様に、４つの操作キー４ｃ〜４ｆ、校正液の測定値の経時変化を示すトレンドグラフ４ｇ、測定値の現在値表示（主信号表示）４ｈ、校正液の温度表示（補助信号表示）４ｉが表示されている。また、トレンドグラフ４ｇには、目盛４ｍ、中心値４ｋ、補助線４ｊが付されている。なお、図６（ｂ）は、校正作業の開始から３０分弱が経過した状態を示している。
【００５６】
使用者は、表示部４に表示されたトレンドグラフ４ｇを参照し、校正液の測定値が現時点で安定しているのか否かを確認する。使用者は、測定値が安定したと判断するとエンターキー４ｆをタッチする。エンターキー４ｆがタッチされると、制御部２ｂは測定値の安定性確認を行い、測定値の取り込みを行う。
すなわち、手動校正においても、従来例のように測定値の取り込みのためにトレンドグラフのない別画面に移行することなく、トレンドグラフ４ｇと同一の画面から直接測定値の取り込み指示が行われる。
【００５７】
次に、制御部２ｂは、表示部４を図６の（ｃ）に示す校正値入力画面に切り替える。校正値入力画面には、「０」〜「９」、「．」、「−」に対応する数値入力キー４ｐ、数値の入力欄４ｑ、操作キー４ｃ〜４ｆが表示されている。使用者は、数値入力キー４ｐにより校正値を入力欄４ｑに入力し、エンターキー４ｆをタッチする。
【００５８】
エンターキー４ｆがタッチされると、制御部２ｂは表示部４を図６の（ｄ）に示す確認画面に切り替え、入力された校正値を確認表示４ｒに表示する。使用者は、確認表示４ｒに表示された校正値を確認し、「Accept Data」のコマンドを実行する。制御部２ｂは確認表示４ｒの校正値を取り込み、この校正値に対して測定値を合わせ込む。以上で手動校正が完了する。
【００５９】
本実施例は以上のように構成され、
表示部４が、校正時に、校正液の測定値の取り込みを指示するエンターキー４ｆと、校正液の測定値のトレンドグラフ４ｇとを同時に表示することにより、使用者は測定値の取り込みを指示する瞬間にもトレンドグラフ４ｇを参照することができ、校正時における使用者の作業性を向上させることができる。
【００６０】
本発明では、従来例において「校正画面」と呼ばれた画面とトレンドグラフ画面を組み合わせた画面を提供することにより、使用者に両方の画面を行き来させることなく校正作業を実施可能とする。これにより、使用者の校正作業時の操作量が減り、使用者の負担を減らすことができる。
【００６１】
また、測定時および校正時を通して表示部４に常に表示されるエンターキー４ｆを測定値取り込みキーとして流用するため、トレンドグラフ４ｇの周囲の表示を増やさずに済み、表示部４の表示内容が見やすい。
【００６２】
また、表示部４が、トレンドグラフ４ｇとともに現在値表示４ｈも表示するため、校正液の測定値の経時変化の様子だけでなく、正確な現在値も同時に把握できる。
【００６３】
また、表示部４が、タッチパネルで構成されているため、校正指示を行う際に、使用者が操作入力部３であるエンターキー４ｆの近くにトレンドグラフ４ｇを確認することができ、より使用者の作業性を向上させることができる。
【００６４】
なお、トレンドグラフ４ｇの中心値は、校正の種類や内容に応じて適切に設定される。本実施例のスパン校正では中心値４ｋが８．２６［ｍｇ／ｌ］に設定されているが、たとえばゼロ校正の場合には０．０［ｍｇ／ｌ］に自動的に設定される。これら中心値は校正設定部２ｃにあらかじめ記憶しておき、制御部２ｂは校正の種類や内容に応じて対応する設定情報を読み出して利用する。これにより、使用者は、校正の種類や内容によらず、常に最適な中心値で作成されたトレンドグラフを参照できる。
【００６５】
同様に、トレンドグラフ４ｇの表示スケールや表示範囲も、校正の種類や内容に応じて適切に設定される。本実施例のスパン校正では表示スケールが１．０［ｍｇ／ｌ］、表示範囲が中心値から±１．０［ｍｇ／ｌ］の範囲に設定されていたが、校正の種類や内容に応じて適切な値に設定される。表示スケールや表示範囲は校正設定部２ｃにあらかじめ記憶しておき、制御部２ｂは校正の種類や内容に応じて対応する設定情報を読み出して利用する。これにより、使用者は、校正の種類や内容によらず、常に最適な表示スケール、表示範囲で作成されたトレンドグラフを参照できる。
なお、表示範囲や表示スケール、中心値は、使用者が自由に設定できるような構成としてもよい。
【００６６】
また、本実施例では、トレンドグラフ表示設定が「Disable」に設定されている場合に、表示部４には校正作業開始前の画面を継続して表示したが、校正液の測定中であることを示すメッセージを表示してもよい。
【００６７】
また、本実施例では、操作入力部３が表示部４と一体に形成されているが、操作入力部３は表示部４とは別に形成されていてもよい。たとえば、操作入力部３は、表示部４の周辺に設けられた操作ボタンのような形態であってもよい。
【００６８】
また、本実施例では、本発明を適用した溶存酸素計について説明したが、本発明の適用対象は溶存酸素計に限られない。数秒〜数十分程度の時間をかけて比較的ゆっくりと反応が起きる電気化学センサを用いた機器に適用すれば、効果的である。溶存酸素計の他には、たとえばｐＨ計、残留塩素計が考えられる。
【００６９】
図７は、本発明をｐＨ計に適用した場合のトレンドグラフ画面の例である。図７に示すトレンドグラフ４ｇ’では、校正用のｐＨ７．０の標準液を用いて校正作業を行っている様子を示している。
トレンドグラフ４ｇ’は、横軸の表示範囲が５分に固定されており、１分間隔の目盛４ｍ’が付されている。また、トレンドグラフ４ｇ’の縦軸は、中心値４ｋ’を６．９［ｐＨ］、表示スケールが０．１［ｐＨ］、表示範囲を中心値４ｋ’の±０．１［ｐＨ］で表示されている。
【００７０】
中心値４ｋ’は、標準液ごとに適切な値に自動的に設定される。たとえば、ｐＨ４．０の標準液で校正する場合には中心値４ｋ’は４．０［ｐＨ］に、ｐＨ９．０の標準液で校正する場合には中心値４ｋ’は９．２［ｐＨ］に設定される。
【符号の説明】
【００７１】
１    センサ部
２    本体
２ａ  測定回路
２ｂ  制御部
２ｃ  校正設定部
３    操作入力部
４    表示部
４ａ  主測定信号表示
４ｂ  補助信号表示
４ｃ〜４ｆ  操作キー
４ｇ  トレンドグラフ
４ｈ  現在値表示
４ｉ  温度表示
１０  ケース
１１  ケーブル
１２  ケーブルグランド
【図１】
2010190630.tif 000003
【図２】
2010190630.tif 000004
【図３】
2010190630.tif 000005
【図４】
2010190630.tif 000006
【図５】
2010190630.tif 000007
【図６】
2010190630.tif 000008
【図７】
2010190630.tif 000009
【図８】
2010190630.tif 000010
【図９】
2010190630.tif 000011